(57)【要約】【課題】大きなスペースを要せずにリテーナの仮係止位置から本係止位置への意図しない移動を防止できる電気コネクタを提供する。【解決手段】電気コネクタ１は、絶縁性のハウジング１０と、ハウジング１０に収容されるコンタクト３０と、ハウジング１０の前面から挿入されるリテーナ４０とを備えている。リテーナ４０には、係止アーム４３が設けられている。係止アーム４３は、その略中間部に、リテーナ４０が仮係止位置から本係止位置に移動するのを防止する第１係止部４３ｂを有すると共に、自由端近傍にハウジング１０に対する当接部４３ｃを有する。リテーナ４０が仮係止位置にあるときには、係止アーム４３がハウジング１０に第１係止部４３ｂと当接部４３ｃとの２点で支持される。第１係止部４３ｂは係止アーム４３の一側に設けられ、当接部４３ｃは係止アーム４３の他側に設けられる。【選択図】      図５
2005123032.tif 000002
【特許請求の範囲】
【請求項１】
絶縁性のハウジングと、該ハウジングに収容されるコンタクトと、前記ハウジングの前面から挿入され、前記コンタクトの前記ハウジングへの挿入を可能とする仮係止位置と前記コンタクトの抜け止めを保証する本係止位置とで前記ハウジングに係止されるリテーナとを備え、該リテーナが係止アームを有する電気コネクタにおいて、
前記係止アームは、その略中間部に、前記リテーナが前記仮係止位置から前記本係止位置に移動するのを防止する第１係止部を有すると共に、自由端近傍に、前記ハウジングに対する当接部を有し、
前記リテーナが前記仮係止位置にあるときに、前記係止アームが前記ハウジングに前記第１係止部と前記当接部との２点で支持され、
前記第１係止部は前記係止アームの一側に設けられ、
前記当接部は前記係止アームの他側に設けられていることを特徴とする電気コネクタ。
【請求項２】
前記仮係止位置において、前記係止アームの自由端近傍に、前記リテーナが前記ハウジングから脱落するのを防止する第２係止部を設けたことを特徴とする請求項１記載の電気コネクタ。
【請求項３】
前記第２係止部及び該第２係止部が当接する前記ハウジングの当接面は、前記リテーナの引き抜く方向に対して逆向きの傾斜面であることを特徴とする請求項２記載の電気コネクタ。
【請求項４】
前記第２係止部は、前記リテーナが前記仮係止位置にあるときに、前記ハウジングの外部に露出していることを特徴とする請求項２又は３記載の電気コネクタ。
【発明の詳細な説明】
【技術分野】
【０００１】
本発明は、ハウジングの前面から挿入され、コンタクトのハウジングへの挿入を可能とする仮係止位置とコンタクトの抜け止めを保証する本係止位置とでハウジングに係止されるリテーナを備えた電気コネクタに関する。
【背景技術】
【０００２】
ハウジングの前面から挿入されるリテーナ、いわゆる前差しのリテーナを備えた電気コネクタとして、従来、例えば、図１０及び図１１に示すものが知られている（特許文献１参照）。
この図１０及び図１１に示した電気コネクタ１０１は、絶縁性のハウジング１１０と、ハウジング１１０に収容される複数のコンタクト（図示せず）と、ハウジング１１０の前面（図１０における左面）から挿入され、コンタクトの抜け止めを保証するリテーナ１２０とを備えている。
【０００３】
ハウジング１１０は、コンタクトを収容するための複数のコンタクト収容キャビティ（図示せず）を有するコンタクト収容部１１１と、コンタクト収容部１１１から前方に延びるフード部１１２とを備えている。各コンタクト収容キャビティにはコンタクトを一次係止するためのハウジングランス（図示せず）が設けられている。また、ハウジング１１０のフード部１１２内には、コンタクト収容部１１１から前方に延びる可撓性のロックアーム１１３が設けられ、このロックアーム１１３にはロック突起１１４が設けられている。
【０００４】
また、リテーナ１２０は、ハウジング１１０のフード部１１２の前面からフード部１１２内に挿入されるよう構成され、コンタクトのコンタクト収容キャビティ内への挿入を可能とする仮係止位置（図１１（Ａ）参照）とコンタクトの抜け止めを保証する本係止位置（図１１（Ｂ）参照）とでハウジング１１０に係止されるようになっている。リテーナ１２０には、リテーナ１２０が仮係止位置にあるときにリテーナ１２０の前方への引き抜きを防止する第１係止突起１２１が設けられている。また、リテーナ１２０には、リテーナ１２０が仮係止位置にあるときにリテーナ１２０の後方への押し込みを防止すると共に、リテーナ１２０が本係止位置にあるときにリテーナ１２０の前方への引き抜きを防止する第２係止突起１２２が設けられている。この第２係止突起１２２は、図１１（Ａ）に示すように、リテーナ１２０が仮係止位置にあるときには、ハウジング１１０のロックアーム１１３に設けられたロック突起１１４の前面に当接し、リテーナ１２０の後方への押し込みを防止する。また、第２係止突起１２２は、図１１（Ｂ）に示すように、リテーナ１２０が本係止位置にあるときに、ロック突起１１４の後方に位置し、リテーナ１２０の前方への引き抜きを防止するようになっている。
【０００５】
また、コンタクトの二重係止を行なうリテーナを備えた電気コネクタとして、例えば、図１２に示すものも知られている（特許文献２参照）。
この図１２に示した電気コネクタ２０１は、絶縁性のハウジング２１０と、ハウジング２１０に収容される複数のコンタクト（図示せず）と、ハウジング２１０の上面（図１２（Ａ）における上面）から挿入され、コンタクトを二重係止するリテーナ２２０とを備えている。
【０００６】
ハウジング２１０の内部には、コンタクトを収容するための複数のコンタクト収容キャビティ（図示せず）が設けられ、各コンタクト収容キャビティにはコンタクトを一次係止するためのハウジングランス（図示せず）が設けられている。また、ハウジング２１０には、リテーナ２２０を挿入するためのリテーナ挿入孔２１６が形成されている。更に、ハウジング２１０の両側壁には、図１２（Ｂ）に示すように、第１係止孔２１１及び第２係止孔２１２が上方から下方にかけて順番に形成されている。ハウジング２１０のリテーナ挿入孔２１６の後部（図１２（Ａ）における左部）には、第１係止突起２１３が形成されている。また、リテーナ挿入孔２１６の前部であって第１係止突起２１３よりも下方には、第２係止突起２１４が形成されている。
【０００７】
また、リテーナ２２０は、ハウジング２１０の上面からリテーナ挿入孔２１６内に挿入されるよう構成され、コンタクトのコンタクト収容キャビティ内への挿入を可能とする仮係止位置（図１２（Ａ）、（Ｂ）及び（Ｃ），（Ｄ）参照）とコンタクトの抜け止めを保証する本係止位置（図１２（Ｅ）、（Ｆ）参照）とでハウジング２１０に係止されるようになっている。ここでリテーナ２２０の仮係止位置は、順次挿入深さ方向に係止位置を異ならせた第１仮係止位置Ｐ１（図１２（Ａ）、（Ｂ）参照）と第２仮係止位置Ｐ２（図１２（Ｃ）、（Ｄ）参照）とから構成されている。
【０００８】
リテーナ２２０が第１仮係止位置Ｐ１にあるときには、図１２（Ｂ）に示すように、リテーナ２２０の両側壁に外側に突出するように形成された仮係止突起２２１がハウジング２１０の第１係止孔２１１内に入り込んでリテーナ２２０の上下方向の移動が規制される。また、リテーナ２２０の両側壁の下部後方には、下方に突出する第１係止アーム２２２が形成され、第１係止アーム２２２の先端には第１係止突起２２３が形成されている。リテーナ２２０が第１仮係止位置Ｐ１にあるときには、図１２（Ａ）に示すように、リテーナ２２０の第１係止突起２２３がハウジング２１０の第１係止突起２１３の上方に位置してリテーナ２２０の下方向への移動が規制されるようになっている。また、リテーナ２２０の両側壁の下部前方には、下方に突出する第２係止アーム２２４が形成され、第２係止アーム２２４の先端には第２係止突起２２５が形成されている。
【０００９】
リテーナ２２０が第２仮係止位置Ｐ２にあるときには、図１２（Ｄ）に示すように、リテーナ２２０の両側壁に外側に突出するように形成された仮係止突起２２１がハウジング２１０の第２係止孔２１２内に入り込む。また、このとき同時に、図１２（Ｃ）に示すように、リテーナ２２０の第１係止突起２２３がハウジング２１０の第１係止突起２１３の下方に位置してリテーナ２２０の上方向への移動が規制されると共に、リテーナ２２０の第２係止突起２２５がハウジング２１０の第２係止突起２１４の上方に位置してリテーナ２２０の下方向への移動が規制される。
【００１０】
また、リテーナ２２０が本係止位置にあるときには、図１２（Ｆ）に示すように、リテーナ２２０の仮係止突起２２１はハウジング２１０の第２係止孔２１２内に位置したままである。そして、図１２（Ｅ）に示すように、リテーナ２２０の第２係止突起２２５がハウジング２１０の第２係止突起２１４の下方に位置してリテーナ２２０の上方向への移動が規制される。
この電気コネクタ２０１にあっては、リテーナ２２０が第１仮係止位置Ｐ１にあるときには、図１２（Ａ）に示すように、リテーナ２２０の第１係止突起２２３がハウジング２１０の第１係止突起２１３の上方に位置してリテーナ２２０の下方向への移動が規制されるので、リテーナ２２０を仮係止位置に保持する力が第１係止位置Ｐ１にある方が第２係止位置Ｐ２にあるときよりも大きくすることができる。
【００１１】
更に、ハウジングの前面から挿入されるリテーナを備えた電気コネクタとして、従来、図１３に示すものも知られている（特許文献３参照）。
この図１３に示した電気コネクタ３０１は、絶縁性のハウジング３１０と、ハウジング３１０に収容される複数のコンタクト３２０と、ハウジングの前面（図１３（Ａ）における左面）から挿入され、コンタクトを係止するリテーナ３３０とを備えている。
【００１２】
ハウジング３１０は、コンタクトを収容するための複数のコンタクト収容孔３１１を有する。ハウジング３１０の内部には、コンタクト収容孔３１１から前方に突出するように内周壁部３１５が形成され、内周壁部３１５内には各コンタクト収容孔３１１に対応する規制部３１２が前方に向けて突出形成されている。また、内周壁部３１５には、係合孔３１４を有する係止アーム３１３が形成されている。
【００１３】
また、リテーナ３３０は、ハウジング３１０の前面から内周壁部３１５の外周に挿入されるよう構成され、コンタクト３２０のコンタクト収容孔３１１内への挿入を可能とする仮係止位置（図１３（Ａ）参照）とコンタクト３２０の抜け止めを保証する本係止位置（図１３（Ｃ）参照）とでハウジング３１０に係止されるようになっている。リテーナ３３０には、コンタクト３２０のリセプタクル部３２１を収容するリセプタクル部収容孔３３１が複数形成され、各リセプタクル部収容孔３３１には、コンタクト３２０を一次係止するランス３３２が設けられている。そして、各ランス３３２の上方には、ランス３３２の撓みを許容する空間３３３が設けられている。そして、リテーナ３３０の下部には、第１係止突起３３４及び第２係止突起３３５が突出形成されている。第１係止突起３３４は、リテーナ３３０が仮係止位置にあるときには、図１３（Ｂ）によく示すように、係止アーム３１３の前方に位置してリテーナ３３０の後方への押し込みを防止すると共に、リテーナ３３０が本係止位置にあるときには、図１３（Ｃ）に示すように、係止アーム３１３の係合孔３１４内に入り込んでリテーナ３３０の前方への引き抜きを防止するようになっている。また、第２係止突起３３５は、図１３（Ｂ）に示すように、リテーナ３３０が仮係止位置にあるときには、係止アーム３１３の係合孔３１４内に入り込んでリテーナ３３０の前方への引き抜きを防止するようになっている。リテーナ３３０が図１３（Ｃ）に示すように本係止位置に移動すると、ハウジング３１０の規制部３１２がリテーナ３３０の空間３３３内に進入してランス３３２の上方への移動を防止し、コンタクト３２０の抜け止めを保証する。
【００１４】
ここで、第１係止突起３３４の後面３３４ａは、図１３（Ｂ）に示すように、逆テーパ面として形成されており、係止アーム３１３の前端面に対して押し込み力がかかったときには係止が強められるようになっている。このため、仮係止位置にあるリテーナ３３０が簡単には本係止位置に押し込まれないようになっている。
【特許文献１】特開平９−１６１８７５号公報
【特許文献２】特開２００１−３３２３３５号公報
【特許文献３】特開２００２−２６０７６６号公報
【発明の開示】
【発明が解決しようとする課題】
【００１５】
しかしながら、これら従来の電気コネクタにあっては、以下の問題点があった。
即ち、図１０及び図１１に示した電気コネクタ１０１の場合、ロックアーム１１３が可撓性を有するため、仮係止位置にあるリテーナ１２０が簡単に本係止位置へ移動可能となっている。このため、例えば異物等がロックアーム１１３に接触することにより、仮係止位置にあるリテーナ１２０が意図せずに本係止位置へ移動してしまうことがあった。
【００１６】
また、図１２に示した電気コネクタ２０１の場合、リテーナ２２０を第２仮係止位置Ｐ２に保持するために、リテーナ２２０の両側壁の下部後方に設けられた第１係止アーム２２２に上方への移動規制機能を持たせ、リテーナ２２０の両側壁の下部前方に設けられた第２係止アーム２２４に下方への移動規制機能を持たせるようにしているため、２本の係止アームを必要とし、大きなスペースを要していた。また、仮係止位置が２位置あるため、第２係止位置Ｐ２を本係止位置と誤認するおそれがあった。
【００１７】
更に、図１３に示した電気コネクタ３０１の場合、仮係止位置にあるリテーナ３３０が簡単には本係止位置に押し込まれないものの、係止アーム３１３を破壊しないような第１係止突起３３４の後面３３４ａの傾斜角度の設定が困難であった。
従って、本発明は、上述の問題点に鑑みてなされたものであり、その目的は、大きなスペースを要せずにリテーナの仮係止位置から本係止位置への意図しない移動を防止できる電気コネクタを提供することにある。
【課題を解決するための手段】
【００１８】
上記問題を解決するため、本発明のうち請求項１に係る電気コネクタは、絶縁性のハウジングと、該ハウジングに収容されるコンタクトと、前記ハウジングの前面から挿入され、前記コンタクトの前記ハウジングへの挿入を可能とする仮係止位置と前記コンタクトの抜け止めを保証する本係止位置とで前記ハウジングに係止されるリテーナとを備え、該リテーナが係止アームを有する電気コネクタにおいて、前記係止アームは、その略中間部に、前記リテーナが前記仮係止位置から前記本係止位置に移動するのを防止する第１係止部を有すると共に、自由端近傍に、前記ハウジングに対する当接部を有し、前記リテーナが前記仮係止位置にあるときに、前記係止アームが前記ハウジングに前記第１係止部と前記当接部との２点で支持され、前記第１係止部は前記係止アームの一側に設けられ、前記当接部は前記係止アームの他側に設けられていることを特徴としている。
【００１９】
また、本発明のうち請求項２に係る電気コネクタは、請求項１記載の発明において、前記仮係止位置において、前記係止アームの自由端近傍に、前記リテーナが前記ハウジングから脱落するのを防止する第２係止部を設けたことを特徴としている。
また、本発明のうち請求項３に係る電気コネクタは、請求項２記載の発明において、前記第２係止部及び該第２係止部が当接する前記ハウジングの当接面は、前記リテーナの引き抜く方向に対して逆向きの傾斜面であることを特徴としている。
更に、本発明のうち請求項４に係る電気コネクタは、請求項２又は３記載の発明において、前記第２係止部は、前記リテーナが前記仮係止位置にあるときに、前記ハウジングの外部に露出していることを特徴としている。
【発明の効果】
【００２０】
本発明のうち請求項１に係る電気コネクタによれば、係止アームは、その略中間部に、リテーナが仮係止位置から本係止位置に移動するのを防止する第１係止部を有すると共に、自由端近傍に、ハウジングに対する当接部を有し、リテーナが仮係止位置にあるときに、係止アームがハウジングに第１係止部と当接部との２点で支持され、第１係止部は係止アームの一側に設けられ、当接部は係止アームの他側に設けられているので、係止アームの可撓性を制限することで、リテーナの仮係止位置から本係止位置への意図しない移動を確実に防止できる。
【００２１】
また、本発明のうち請求項２に係る電気コネクタによれば、請求項１記載の発明において、前記仮係止位置において、前記係止アームの自由端近傍に、前記リテーナが前記ハウジングから脱落するのを防止する第２係止部を設けたので、１本の係止アームでリテーナを仮係止位置に保持でき、大きなスペースを要しない電気コネクタを得ることができる。
更に、本発明のうち請求項３に係る電気コネクタによれば、請求項２記載の発明において、前記第２係止部及び該第２係止部が当接する前記ハウジングの当接面は、前記リテーナの引き抜く方向に対して逆向きの傾斜面であるので、仮係止位置からのリテーナの引き抜きに対して強く抗するため、リテーナがハウジングから容易に脱落することのない電気コネクタを得ることができる。
また、本発明のうち請求項４に係る電気コネクタによれば、請求項２又は３記載の発明において、前記第２係止部は、前記リテーナが前記仮係止位置にあるときに、前記ハウジングの外部に露出しているので、リテーナをハウジングから取り外すことができる電気コネクタを得ることができる。
【発明を実施するための最良の形態】
【００２２】
次に本発明の実施形態を図面を参照して説明する。図１は本発明に係る電気コネクタにおいてリテーナが仮係止位置にある状態を示す斜視図である。図２は図１の電気コネクタの正面図である。図３は図１の電気コネクタの平面図である。図４は図１の電気コネクタの右側面図である。図５は電気コネクタにおいてリテーナが仮係止位置にある状態を示し、（Ａ）は図２における５Ａ−５Ａ線に沿う断面図、（Ｂ）は図２における５Ｂ−５Ｂ線に沿う断面図である。但し、図５（Ａ）においてコンタクトは省略してある。図６は本発明に係る電気コネクタにおいてリテーナが本係止位置にある状態を示し、（Ａ）は正面斜め上方から見た斜視図、（Ｂ）は背面斜め下方から見た斜視図である。図７は電気コネクタにおいてリテーナが本係止位置にある状態を示し、（Ａ）は図２における５Ａ−５Ａ線と同一の線に沿う断面図、（Ｂ）は図２における５Ｂ−５Ｂ線と同一の線に沿う断面図である。図８はハウジングを示し、（Ａ）は正面斜め上方から見た斜視図、（Ｂ）は背面斜め下方から見た斜視図である。図９はリテーナを示し、（Ａ）は正面斜め上方から見た斜視図、（Ｂ）は背面斜め下方から見た斜視図である。
【００２３】
図１乃至図７において、電気コネクタ１は、絶縁性のハウジング１０と、このハウジング１０に１列状に収容された複数のコンタクト３０（図７（Ａ）参照）と、コンタクト３０の抜け止めを保証するためのリテーナ４０とを備えている。
ハウジング１０は、絶縁性の合成樹脂を成形することによって略矩形形状に形成され、内部にコンタクト３０を収容する複数のコンタクト収容キャビティ１１を左右方向（図２における左右方向）に１列状に有している。各コンタクト収容キャビティ１１は、図８に示すように、ハウジング１０の前方側（図１及び図８における左方側））に開口している。そして、各コンタクト収容キャビティ１１には、コンタクト３０を係止するためのハウジングランス１２が設けられている。ハウジングランス１２は、ハウジング１０の下壁から斜め前方に延びるように形成されている。その一方、下列のコンタクト収容キャビティ１１に設けられたハウジングランス１２は、ハウジング１０の下壁から斜め前方に延びるように形成されている。
【００２４】
また、ハウジング１０の下壁には、左右方向において各コンタクト収容キャビティ１１に対応する位置に前後方向に延びる複数の第１係止孔１３がそれぞれ形成されている。そして、ハウジングランス１２の下方には、ハウジングランス１２の撓みを許容するとともにリテーナ４０の後述する規制片４５の進入を許容する空間１５が第１係止孔１３に連通するように形成されている。また、図５（Ｂ）に示すように、ハウジング１０の下壁の左右方向中央部には、左右方向において各コンタクト収容キャビティ１１を仕切る仕切り壁１１ａに対応する位置に前後方向に延びる第２係止孔１４が形成されている。そして、第２係止孔１４の上方には、第２係止孔１４に連通するとともにハウジング１０の前方側に開口する空間１６が形成されている。空間１６には、リテーナ４０の後述する第２係止アーム４４が進入するようになっている。更に、ハウジング１０の上壁には、左右方向において各コンタクト収容キャビティ１１に対応する位置に前後方向に延びる複数の第３係止孔１７がそれぞれ形成されている。そして、各第３係止孔１７の下方には、各第３係止孔１７に連通するとともにハウジング１０の前方側に開口する空間１８が形成されている。空間１８には、リテーナ４０の後述する第１係止アーム４３が進入するようになっている。そして、各空間１８の前端下部、即ち各コンタクト収容キャビティ１１を画定するハウジング壁の前端上部には、係止突起１９が突出形成されている。また、２つの空間１８の間には、図５（Ｂ）及び図８（Ａ）に示すように、ハウジング１０の前方側に開口し、リテーナ４０の後述するガイド片部４６の進入を許容する空間２０が形成されている。また、ハウジング１０の上壁には、相手コネクタ（図示せず）との嵌合時に、相手コネクタとロックするロック突起２１が形成されている。
【００２５】
また、各コンタクト３０は、金属板を打抜き及び曲げ加工することによって形成され、ハウジングランス１２に係止される略箱形のリセプタクル部３１と、リセプタクル部３１から後方に延び、電線（図示せず）に圧着接続される電線接続部３３とを備えている。リセプタクル部３１内には、相手の雄型コンタクト（図示せず）との弾性接触片３２が設けられている。
更に、リテーナ４０は、ハウジング１０の前面から挿入され、コンタクト３０のハウジング１０への挿入を可能とする仮係止位置（図１乃至図５参照）と、コンタクト３０の抜け止めを保証する本係止位置（図６及び図７参照）とでハウジング１０に係止されるようになっている。リテーナ４０は、ハウジング１０の前面を覆うように長手方向（図１における左右方向）に延びる矩形平板状の前面板４１と、前面板４１の上端近傍からそれぞれ後方に延びる複数の第１係止アーム４３と、前面板４１の下端近傍からそれぞれ後方に延びる複数の規制片４５と、前面板４１の下端近傍から規制片４５間を後方に延びる第２係止アーム４４とを備えている。
【００２６】
前面板４１には、各コンタクト収容キャビティ１１に対応する位置に１列状の複数のコンタクト挿通孔４２が形成されている。
各第１係止アーム４３は、ハウジング１０の空間１８に対応する位置に左右方向において所定間隔を開けて配置されている。各係止アーム４３は、その自由端部に第２係止部４３ａを有すると共に第２係止部４３ａの前側にハウジング１０の突部２２に当接する当接部４３ｃを有し、略中間部に第１係止部４３ｂを有する。第２係止部４３ａ及び当接部４３ｃは、係止アーム４３の上面側に設けられ、その一方、第１係止部４３ｂは、係止アーム４３の下面側に設けられている。そして、各第１係止アーム４３は、ハウジング１０の空間に前面から進入し、仮係止位置においては、図５（Ａ）に示すように、第２係止部４３ａがハウジング１０の第３係止孔１７に入り込んでリテーナ４０の前方への引き抜きを防止するようになっている。ここで、第２係止部４３ａ及び第３係止孔１７の互いに当接する当接面（第３係止孔１７の当接面１７ａのみ符号を図示）は、リテーナ４０を引き抜く方向に対して逆向きの傾斜面になっている。このため、リテーナ４０は、仮係止位置からの引き抜きに強く抗する。また、同様に仮係止位置においては、第１係止部４３ｂがハウジング１０の係止突起１９の前側に位置してリテーナ３０の後方への押し込みを防止するようになっている。そして、各第１係止アーム４３の第２係止部４３ａ及び第１係止部４３ｂは、本係止位置においては、図７（Ａ）に示すように、ともに空間１８内に位置する。
【００２７】
また、各規制片４５は、ハウジング１０の空間１５に対応する位置に左右方向において所定間隔を開けて配置されている。各規制片４５の後端には、係止突起４５ａが下方に向けて突出形成されている。そして、各規制片４５は、ハウジング１０の空間１５に前面から進入し、仮係止位置においては、図５（Ａ）に示すように、係止突起４５ａがハウジング１０の第１係止孔１３に入り込んでリテーナ４０の前方への引き抜きを防止するようになっている。係止突起４５ａ及び第１係止孔１３の互いに当接する当接面も、リテーナ４０を引き抜く方向に対して逆向きの傾斜面となっている。そして、各規制片４５は、本係止位置にあるときには、図７（Ａ）に示すように、ハウジングランス１２の下方に形成された空間１５内に進入してハウジングランス１２の下方への移動を規制しコンタクト３０の抜け止めを保証する。また、各規制片４５の上面には、図７（Ａ）によく示すように、コンタクト３０のリセプタクル部３１の下方向への移動を規制する起立片４７が突出形成されている。
【００２８】
更に、第２係止アーム４４の略中央部には、係止部４４ａが下方に向けて突出形成されている。そして、第２係止アーム４４は、ハウジング１０の空間１６に前面から進入し、仮係止位置においては、図５（Ｂ）に示すように、係止部４４ａがハウジング１０の第２係止孔１４の前部１４ａの前側に位置してリテーナ４０の後方への押し込みを防止するようになっている。そして、第２係止アーム４４が本係止位置にあるときには、図７（Ｂ）に示すように、係止部４４ａが第２係止孔１４内に入り込んでリテーナ４０の前方への引き抜きを防止するようになっている。
また、リテーナ４０の前面板３１の後面略中央部には、前面板３１から後方に延びるガイド片部４６が突出形成されている。このガイド片部４６は、図５（Ｂ）及び図７（Ｂ）に示すように、ハウジング１０の前面からハウジング１０の空間２０内に進入するようになっている。
【００２９】
次に、図１乃至図７を参照して電気コネクタ１の組立方法について説明する。
電気コネクタ１の組立において、先ず、図５に示すように、リテーナ４０をハウジング１０の前面から挿入し、リテーナ４０を仮係止位置に位置させる。このとき、各第１係止アーム４３は、ハウジング１０の空間に前面から進入し、第２係止部４３ａがハウジング１０の第３係止孔１７に入り込んでリテーナ４０の前方への引き抜きを防止する。また、第１係止部４３ｂがハウジング１０の係止突起１９の前側に位置してリテーナ４０の後方への押し込みを防止する。この仮係止位置においては、各第１係止アーム４３の第１係止部４３ｂが係止突起１９の前側面及びハウジング１０の上面に当接すると共に、各第１係止アーム４３の当接部４３ｃがハウジング１０の突部２２の下面に当接する。即ち、リテーナ４０の仮係止位置においては、各第１係止アーム４３がハウジング１０に第１係止部４３ｂと当接部４３ｃとの２点で支持される。このように、各１本の係止アーム４３にリテーナ４０の引き抜き防止機能と押し込み防止機能を持たせるようにしたので、大きなスペースを要することなく、また、仮係止位置において、各第１係止アーム４３がハウジング１０に第１係止部４３ｂと当接部４３ｃとの２点で支持されるようにしたので、リテーナ４０の仮係止位置から本係止位置への意図しない移動を防止することができる。
【００３０】
また、当接部４３ｃが係止アーム４３の上面側に設けられ、第１係止部４３ｂが係止アーム４３の下面側に設けられているので、リテーナ４０の仮係止位置において係止アーム４３の可撓性が制限され、リテーナ４０の仮係止位置から本係止位置への意図しない移動を確実に防止できる。さらに、リテーナ４０の仮係止位置において、第２係止部４３ａの上面が第３係止孔１７を介して外部に露出する。このため、工具等で第２係止部４３ａを押下することにより、リテーナ４０をハウジング１０から分離することができる。
【００３１】
また、リテーナ４０が仮係止位置にあるときには、各規制片４５の係止突起４５がハウジング１０の第１係止孔１３に入り込んでリテーナ４０の前方への引き抜きを防止し、また、第２係止アーム４４の係止部４４ａがハウジング１０の第２係止孔１４の前部１４ａの前側に位置してリテーナ４０の後方への押し込みを防止する。このため、一層確実にリテーナ４０の仮係止位置から本係止位置への意図しない移動を防止することができる。
【００３２】
そして、電線を接続した各コンタクト３０をハウジング１０の後方側から各コンタクト収容キャビティ１１内に挿入する。これにより、ハウジングランス１２がコンタクト３０のリセプタクル部３１の後側に位置し、コンタクト３０が一次係止されてコンタクト３０の抜け止めがなされる。
次いで、仮係止位置にあるリテーナ４０を後方に押圧し、図７に示すように、リテーナ４０を本係止位置に位置させる。このとき、図７（Ａ）に示すように、リテーナ４０の各規制片４５はハウジングランス１２の下方に形成された空間１５内に進入してハウジングランス１２の下方への移動を規制しコンタクト３０の抜け止めを保証する。また、この本係止時には、第２係止アーム４４の係止部４４ａが図７（Ｂ）に示すように第２係止孔１４内に入り込んでリテーナ４０の前方への引き抜きを防止する。これにより、電気コネクタ１の組立は完了する。
【００３３】
なお、リテーナ４０の仮係止及び本係止においては、リテーナ４０のガイド片部４６が図５（Ｂ）及び図７（Ｂ）に示すように、ハウジング１０の前面からハウジング１０の  空間２０内に進入するので、これによりリテーナ４０の上下方向のガタ止めなされる。
以上、本発明の実施形態について説明してきたが、本発明はこれに限定されずに種々の変更、改良を行なうことができる。
例えば、第１係止アーム４３は、コンタクト収容キャビティ１１の数と同数だけ設けられているが、必ずしもこれに限らず、コンタクト収容キャビティ１１の数よりも多くても少なくてもよい。
【図面の簡単な説明】
【００３４】
【図１】本発明に係る電気コネクタにおいてリテーナが仮係止位置にある状態を示す斜視図である。
【図２】図１に示す状態の電気コネクタの正面図である。
【図３】図１に示す状態の電気コネクタの平面図である。
【図４】図１に示す状態の電気コネクタの右側面図である。
【図５】電気コネクタにおいてリテーナが仮係止位置にある状態を示し、（Ａ）は図２における５Ａ−５Ａ線に沿う断面図、（Ｂ）は図２における５Ｂ−５Ｂ線に沿う断面図である。但し、図５（Ａ）においてコンタクトは省略してある。
【図６】本発明に係る電気コネクタにおいてリテーナが本係止位置にある状態を示し、（Ａ）は正面斜め上方から見た斜視図、（Ｂ）は背面斜め下方から見た斜視図である。
【図７】電気コネクタにおいてリテーナが本係止位置にある状態を示し、（Ａ）は図２における５Ａ−５Ａ線と同一の線に沿う断面図、（Ｂ）は図２における５Ｂ−５Ｂ線と同一の線に沿う断面図である。
【図８】ハウジングを示し、（Ａ）は正面斜め上方から見た斜視図、（Ｂ）は背面斜め下方から見た斜視図である。
【図９】リテーナを示し、（Ａ）は正面斜め上方から見た斜視図、（Ｂ）は背面斜め下方から見た斜視図である。
【図１０】従来例の電気コネクタの斜視図である。
【図１１】図１０の電気コネクタを示し、（Ａ）はリテーナが仮係止位置にあるとこの断面図、（Ｂ）はリテーナが本係止位置にあるときの断面図である。
【図１２】従来の他の例の電気コネクタの断面図である。
【図１３】従来の別の例の電気コネクタの断面図である。
【符号の説明】
【００３５】
１  電気コネクタ
１０  ハウジング
３０  コンタクト
４０  リテーナ
４３  第１係止アーム（係止アーム）
４３ａ  第２係止部
４３ｂ  第１係止部
４３ｃ  当接部
【図１】
2005123032.tif 000003
【図２】
2005123032.tif 000004
【図３】
2005123032.tif 000005
【図４】
2005123032.tif 000006
【図５】
2005123032.tif 000007
【図６】
2005123032.tif 000008
【図７】
2005123032.tif 000009
【図８】
2005123032.tif 000010
【図９】
2005123032.tif 000011
【図１０】
2005123032.tif 000012
【図１１】
2005123032.tif 000013
【図１２】
2005123032.tif 000014
【図１３】
2005123032.tif 000015